(57)【要約】【課題】通行の際に、開成状態にある扉本体が強風に煽られるなどして自然に閉動作することがなく、また、扉本体を勢いよく開放した際に、戸当りストッパー等と衝突した扉本体の跳ね返りを防止できる門扉装置を提供する。【解決手段】扉本体２に設けたラッチボルト６と、扉本体２が開成状態となった際にラッチボルト６が係合する支柱８あるいは建物等の固定構造物に設けたストライク８１によって開成保持装置を構成し、開成保持装置によって扉本体２を開成状態に位置規制する。【選択図】　　　　図１
2004100175.tif 000002
【特許請求の範囲】
【請求項１】
通路部を扉本体によって開閉可能とした門扉装置であって、扉本体と固定構造物とを係合して扉本体を開成状態に位置規制する開成保持装置を設けたことを特徴とする門扉装置。
【請求項２】
開成保持装置は扉本体に設けたラッチボルトと、固定構造物に設けたラッチボルトが係合するストライクから構成され、ラッチボルトとストライクの係合を解除する操作レバーを扉本体に設けたことを特徴とする請求項１に記載の門扉装置。
【請求項３】
扉本体に錠装置が設けられ、錠装置による施錠状態を解除する操作レバーと、開成保持装置による扉本体と固定構造物との係合を解除する操作レバーを兼用したことを特徴とする請求項２に記載の門扉装置。
【請求項４】
吊元支柱に支持アームの基端部を水平回動自在に支持し、該支持アームの回動端部には扉本体の幅方向略中央部を水平回動自在に支持し、吊元支柱から略水平方向に延出するガイドレールを形成し、扉本体の吊元端部を前記ガイドレールに沿って移動自在で且つ回動可能とし、支持アームをガイドレールに向けて回動することにより、支持アームとは逆方向に回動する扉本体をガイドレールに沿って収納する門扉装置であって、吊元支柱と扉本体の戸当り端部とを係合して扉本体を開成状態に位置規制する開成保持装置を設けたことを特徴とする門扉装置。
【請求項５】
開成保持装置は扉本体の戸当り端部に設けたラッチボルトと、吊元支柱に設けたラッチボルトが係合するストライクから構成され、ラッチボルトとストライクの係合を解除する操作レバーを扉本体に設けたことを特徴とする請求項４に記載の門扉装置。
【請求項６】
支持アームの基端部と扉本体の吊元端部とを係合して扉本体を閉成状態に位置規制する錠装置を設け、錠装置の施錠状態を解除する操作レバーと、開成保持装置による扉本体の戸当り端部と吊元支柱との係合を解除する操作レバーを兼用したことを特徴とする請求項５に記載の門扉装置。
【発明の詳細な説明】
【０００１】
【発明の属する技術分野】
この発明は、住宅の門等に設置され、通路部を開閉操作する門扉装置に関するものである。
【０００２】
【従来の技術】
門に立設した支柱にヒンジ装置を介して扉本体を水平回動自在に取り付け、扉本体により通路部を開閉可能とした門扉装置が知られている。通常このような門扉装置には、扉本体を閉成状態に位置規制する錠装置が設けられており、扉本体に設けた操作レバーによって錠装置による施錠状態を解除した後に、扉本体を開成動作して人等の通行が可能となる。
【０００３】
他の形態の門扉装置として、特開２００２−８９１２６号公報に示されるように、吊元支柱に支持アームの基端部を水平回動自在に支持し、該支持アームの回動端部に扉本体の幅方向略中央部を水平回動自在に支持し、吊元支柱から略水平方向に延出するガイドレールを形成し、扉本体の吊元端部を前記ガイドレールに沿って移動自在で且つ回動可能とし、支持アームをガイドレールに向けて回動することにより、支持アームとは逆方向に回動する扉本体をガイドレールに沿って収納する門扉装置を本出願人は先に提案している。
【０００４】
しかしながら、従来の門扉装置においては、扉本体を開成して通路部を通行する際、開成状態にある扉本体が強風に煽られて自然に閉成位置に向けて移動する虞がある。特に、車椅子等によって通行する際には、車椅子と扉本体が衝突することのない様、細心の注意を払わなければならないものであった。
【０００５】
さらに、扉本体を勢いよく開放すると、扉本体が全開位置を規制する戸当りストッパー等と勢いよく衝突し、閉成状態に向けて跳ね返りを起こすなどして操作者に危険感を与えるものであり、跳ね返りを起こさない程度に操作力を加減して操作しなければならないものであった。前記の特開２００２−８９１２６号公報に示される門扉装置にあっては、吊元端が上吊り状態でガイドレールに保持されているので、小さな操作力で扉本体を開閉操作することができ、その力加減が初めて操作する人には難しいものであった。
【０００６】
【発明が解決しようとする課題】
この発明の目的は、通行の際に扉本体が強風に煽られるなどして自然に閉動作するのを防止すると共に、開成操作時における扉本体の跳ね返りを防止することのできる門扉装置を提供することにある。
【０００７】
【課題を解決するための手段】
本発明者は、このような事情に鑑み鋭意検討を重ねた結果、通路部を扉本体によって開閉可能とした門扉装置であって、扉本体と固定構造物とを係合して扉本体を開成状態に位置規制する開成保持装置を設けたことによって、所期の目的を達成したものである。
【０００８】
さらに、開成保持装置は扉本体に設けたラッチボルトと、固定構造物に設けたラッチボルトが係合するストライクから構成され、ラッチボルトとストライクの係合を解除する操作レバーを扉本体に設けたものである。
【０００９】
扉本体に錠装置が設けられ、錠装置による施錠状態を解除する操作レバーと、開成保持装置による扉本体と固定構造物との係合を解除する操作レバーを兼用したことにより、個別に操作レバーを設ける必要がなく、扉本体の部品点数を削減することができる。
【００１０】
他の態様の門扉への適用例としては、吊元支柱に支持アームの基端部を水平回動自在に支持し、該支持アームの回動端部には扉本体の幅方向略中央部を水平回動自在に支持し、吊元支柱から略水平方向に延出するガイドレールを形成し、扉本体の吊元端部を前記ガイドレールに沿って移動自在で且つ回動可能とし、支持アームをガイドレールに向けて回動することにより、支持アームとは逆方向に回動する扉本体をガイドレールに沿って収納する門扉装置であって、吊元支柱と扉本体の戸当り端部とを係合して扉本体を開成状態に位置規制する開成保持装置を設けたものである。
【００１１】
さらに、開成保持装置は扉本体の戸当り端部に設けたラッチボルトと、吊元支柱に設けたラッチボルトが係合するストライクから構成され、ラッチボルトとストライクの係合を解除する操作レバーを扉本体に設けたものである。
【００１２】
また、支持アームの基端部と扉本体の吊元端部とを係合して扉本体を閉成状態に位置規制する錠装置を設け、錠装置の施錠状態を解除する操作レバーと、開成保持装置による扉本体の戸当り端部と吊元支柱との係合を解除する操作レバーを兼用したことにより、部品点数を削減するものである。
【００１３】
【作用】
この発明によれば、扉本体と支柱、建物等の固定構造物とを係合して扉本体を開成状態に位置規制する開成保持装置を設けているので、開成状態にある扉本体が強風に煽られて自然に閉動作することがなく、通行の際に支障を来たすことはない。また、扉本体が勢いよく開放されても、扉本体の跳ね返りを防止することができる。
【００１４】
【発明の実施の形態】
以下、発明の実施の形態を実施例に基づき説明する。
図１ないし２は本発明門扉装置１の第一の実施例であり、図中２は扉本体を表わし、扉本体２は通路部Ｒの一側に立設した吊元支柱３に吊元端２１がヒンジ装置４を介して水平回動自在に取付られており、通路部Ｒを挟んで対向して立設した戸当り支柱５と吊元支柱３の間を開閉可能としている。扉本体２の戸当り端２２にはラッチボルト６が出没自在に設けられており、扉本体２に取り付けられた操作レバー７によって出没操作可能となっている。戸当り支柱５の側面には、ラッチボルト６の位置に対応してラッチボルト６が進入・係合可能なストライク５１が設けられている。ラッチボルト６をストライク５１に挿入することにより、扉本体２が通路部Ｒを閉成する状態に位置規制することができる。
【００１５】
通路部Ｒの一側位置における、吊元支柱３から扉本体２の幅長さ分だけ隔てた位置に、支柱８が立設している。支柱８には戸当り支柱５と同様に、ラッチボルト６の高さ位置に対応してストライク８１が設けられており、吊元支柱３を中心として水平回動した開成状態における扉本体２のラッチボルト６がストライク８１に挿入可能となっている。開成状態における扉本体２のラッチボルト６をストライク８１に挿入することにより、扉本体２の回動を阻止し、開成状態に位置規制することができる。開成状態から閉動作する際には、ラッチボルト６の出没を行う操作レバー７によって、ラッチボルト６とストライク８１の係合を解除し、扉本体２を閉動作することができる。
このように、第一実施例における開成保持装置は、扉本体２に設けたラッチボルト６と支柱８に設けたストライク８１とから構成されている。
【００１６】
以上の第一実施例によれば、開成状態にある扉本体２のラッチボルト６は、支柱８のストライク８１に係合する構成としているので、開成状態にある扉本体２が強風に煽られても自然に閉動作することがなく、車椅子等で通行していても、扉本体と車椅子が衝突する虞はない。また、扉本体２を勢いよく開放しても、ラッチボルト６がストライク８１に係合し、扉本体２の跳ね返りを防止することができる。
本第一実施例では、ストライク５１、８１には同じラッチボルト６を係合させ、一つの操作レバー７によって係合を解除する構成として部品点数を削減しているが、保持支柱８のストライク８１に係合するラッチボルトと、その係合を解除する操作レバーを別々に設けても構わない。
【００１７】
次に図３〜９は本発明門扉装置１の第二実施例を表すものであり、第一実施例と同じ部分については同一符号を用いその説明は省略する。第二実施例の門扉装置１は本出願人が先に発明をした特開２００２−８９１２６号公報に記載の門扉装置と同種のものであり、扉本体２を支持する方法が第一実施例とは異なっている。
扉本体２は、その上下位置がコ字状を呈する支持アーム９によって支持されており、支持アーム９の水平部９１の先端は、扉本体２の横框２３に枢着され、扉本体２が支持アーム９に対して水平回動自在に支持されている。
【００１８】
支持アーム９の基端部である垂直部９２は、通路部Ｒの一側部に立設された吊元支柱３に枢着されており、支持アーム９は該枢着部を中心として水平回動自在に支持されている。より詳しくは、支持アーム９の垂直部９２の上下位置にヒンジ金具１０を固着し、吊元支柱３の上下部にはヒンジ金具１０の位置に対応してヒジツボ金具１１を固着し、ヒンジ金具１０の先端には垂直方向に貫通する軸孔を穿設し、ヒジツボ金具１１の先端には垂直軸を突設し、該垂直軸をヒンジ金具１０の軸孔に挿通して、ヒンジ金具１０とヒジツボ金具１１が回動自在に連結されている。よって、支持アーム９が吊元支柱３を中心に水平回動自在に支持されている。
【００１９】
吊元支柱３の上端には、通路部Ｒに沿って水平方向に延出するガイドレール１２が接続されており、ガイドレール１２の水平部１２１には、扉本体２の吊元側に位置する縦框２４の上端に設けたアーム２５の先端が案内される。このように、扉本体２の吊元側部は、ガイドレール１２に沿って移動し得るよう規制されている。なお、ガイドレール１２は、吊元支柱３と吊元支柱３から扉本体２の幅長さ分だけ隔てた位置に立設した支柱１３の間に架設されている。
【００２０】
扉本体２の吊元側に位置する縦框２４内には錠装置１４が内蔵され、ラッチボルト６とデッドボルト（不図示）が縦框２４の側面より出没自在となっている。支持アーム９の垂直部９２にはラッチボルト６とデッドボルトが嵌入するストライク（不図示）が形成されており、ラッチボルト６若しくはデッドボルトをストライクと係合することにより、支持アーム９に対する扉本体２の回動を阻止することができ、扉本体２を閉成状態に位置規制することができる。
【００２１】
扉本体２の前後面には、錠装置１４の操作レバー７が水平状に設けられており、操作レバー７の両端部が扉本体２の左右に位置する縦框２４、２４に取付けられている。操作レバー７は滑り止め加工を施した把手部７１を前後に揺動することにより、錠装置１４のラッチボルト６を出没可能に制御している。
さらに、扉本体２には横桟材２６が複数本配設されているが、操作レバー７の近傍に位置する横桟材２６は他の桟材２６よりも幅広に形成され、当該横桟材２６の前面側には錠装置１４のデッドボルトを出没自在とするシリンダー１５が設けられ、裏面側にはサムターン１６が設けられている。
【００２２】
通路部Ｒを挟んで吊元支柱３と対向する位置には、戸当り支柱５が立設されており、戸当り支柱５の上下方向には、通路部Ｒを閉成状態とした際に、扉本体２の戸当り側端部が嵌入する受部５２が形成されている。
扉本体２の戸当り側に位置する縦框２４の側面にはラッチボルト１７が出没可能に設けられ、ラッチボルト１７の動きは操作レバー７によって制御される。ラッチボルト１７は、扉本体２が開成状態となった際に、吊元支柱３に設けた断面Ｌ字状の金具からなるストライク３１と係合可能であり、扉本体２を開成状態に位置規制することができる。ラッチボルト１７とストライク３１の係合を解除する際には、操作レバー７を操作して扉本体２が閉動作可能となる。
第二実施例においては、開成保持装置は扉本体２の戸当り側に位置する縦框２４に設けられたラッチボルト１７と、吊元支柱３に設けたストライク３１とから構成されている。
【００２３】
以上の構成からなる、本第二実施例の門扉装置１における扉本体２の動作を説明すると、まず図４に実線で示した状態が扉本体２により通路部Ｒを閉鎖した閉成状態である。この状態においては、扉本体２に設けた錠装置１４のラッチボルト６が支持アーム９に設けたストライクに嵌入しており、支持アーム９に対して扉本体２は回動不能となり、支持アーム９と扉本体２が一体構造を呈している。支持アーム９はヒンジ金具１０の軸孔を中心に回動するが、扉本体２の吊元側部はガイドレール１２に沿った直線移動となるので、扉本体２は閉成状態に位置規制されている。この時、扉本体２の戸当り端部は、戸当り支柱５の受部５２に嵌入しているので、扉本体２はより一層安定して閉成状態に位置規制されている。
【００２４】
扉本体２を開成操作する場合、デッドボルトがストライクに嵌入している場合には、シリンダー１５に鍵を挿入して解除するか、サムターン１６を回転してデッドボルトとストライクの係合を外す。次に、操作レバー７を揺動して扉本体２と支持アーム９のラッチボルト６による係合を解除して、前方側から操作する場合は扉本体２を押す方向、後方側から操作する場合は扉本体２を引く方向に移動させると、支持アーム９がガイドレール１２側に向けて回動を開始する。扉本体２の吊元側の縦框２４の上端は、アーム２５を介してガイドレール１２に案内されているので、扉本体２は支持アーム９とは逆の方向に回動する（図４参照）。扉本体２の吊元側はガイドレール１２に沿って移動し、扉本体２の戸当り側の縦框２４が吊元支柱３に設けた戸当りストッパー３２に当接して扉本体２の開成操作が終了する。この時、ラッチボルト１７は吊元支柱３のストライク３１と係合し、扉本体２が開成状態に位置規制される。なお、図中３３は開成状態における扉本体２の側面を覆い隠す吊元カバーである。
【００２５】
本第二実施例によれば、ラッチボルト１７は吊元支柱３のストライク３１に係合する構成としているので、扉本体２を勢いよく開成操作しても、ストライク３１にラッチボルト１７が係合し、扉本体２が戸当りストッパー３２に衝突することによる跳ね返りを防止することができる。また、開成状態にある扉本体２は強風に煽られても、ラッチボルト１７がストライク３１に係合しているので、自然に閉動作することがなく、車椅子等で通行していても、扉本体２と車椅子が衝突することはない。
【００２６】
扉本体２を閉成操作する場合は、操作レバー７を操作してラッチボルト１７とストライク３１の係合を解除し、上記開成操作とは逆の手順によって閉成操作を行う。本第二実施例の門扉装置１の開閉操作においては、扉本体２の戸当り側の縦框２４は、吊元支柱３と戸当り支柱５との間を略直線的に移動するため、開閉操作者は開き門扉のように前後に移動することなく、開閉操作を簡便に行い得るものである。
また、操作レバー７は扉本体２の幅方向略全域にわたって水平状に設けられているので、操作者は扉本体２のどの位置からでも、開閉操作することができる。特に、扉本体２の吊元端部が直線運動と回転運動を含めた動作を行うので、操作レバー７を押したり引いたりすることにより、扉本体２の開閉操作を極めて容易に行うことができる。
【００２７】
なお、上記実施例において扉本体と係合する固定構造物は、支柱の場合について説明したが、固定構造物は塀等の建物あるいは路面であっても構わない。要するに、扉本体と係合して扉本体を開成状態に位置規制できるものであれば良い。
【００２８】
【発明の効果】
本発明門扉装置によれば、扉本体と固定構造物とを係合して扉本体を開成状態に位置規制する開成保持装置を設けているので、開成状態にある扉本体が強風に煽られて自然に閉動作することがない。また、扉本体が勢いよく開放されても、扉本体の跳ね返りを防止することができる等実施上の効果は多大である。
【図面の簡単な説明】
【図１】本発明第一実施例の門扉装置を表す全体図
【図２】本発明第一実施例の門扉装置を表す平面図
【図３】本発明第二実施例の門扉装置を表す正面図
【図４】本発明第二実施例の門扉装置の動作状態を表す平面図
【図５】本発明第二実施例の門扉装置を表す左側面図
【図６】本発明第二実施例の門扉装置における扉本体の全体図
【図７】本発明第二実施例の門扉装置における扉本体の横断面図
【図８】本発明第二実施例の門扉装置の開成状態における開成保持装置の要部拡大図
【図９】本発明第二実施例の門扉装置における図８の平面図
【符号の説明】
１　　　門扉装置
２　　　扉本体
３　　　吊元支柱
５　　　戸当り支柱
６，１７　　　ラッチボルト
７　　　操作レバー
８　　　支柱
９　　　支持アーム
１２　　　ガイドレール
３１，８１　　　ストライク
Ｒ　　　通路部
【図１】
2004100175.tif 000003
【図２】
2004100175.tif 000004
【図３】
2004100175.tif 000005
【図４】
2004100175.tif 000006
【図５】
2004100175.tif 000007
【図６】
2004100175.tif 000008
【図７】
2004100175.tif 000009
【図８】
2004100175.tif 000010
【図９】
2004100175.tif 000011